【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
縮小画像付の画像ファイルを記憶する記憶手段と、
前記記憶手段から複数の画像ファイルの各々の縮小画像を読み出す読み出し手段と、
前記読み出し手段によって読み出された複数の縮小画像を配列表示する表示手段と、
前記表示手段に表示された複数の縮小画像の各々に対するユーザ選択を受け付ける第１の受け付け手段と、
前記ユーザ選択の対象となった一乃至複数の縮小画像に対応する画像ファイルの印刷枚数を設定する設定手段と
を備えたことを特徴とする電子カメラ。
【請求項２】
前記表示手段は、前記読み出し手段によって読み出された複数の縮小画像を配列表示するとともに、縮小画像毎の印刷枚数設定の有無を示す印刷設定情報オブジェクトを表示することを特徴とする請求項１記載の電子カメラ。
【請求項３】
任意年月の月間カレンダーを生成するカレンダー生成手段を更に備え、
前記読み出し手段は、前記記憶手段に記憶されている画像ファイルの中から前記任意年月を撮影月とするすべての画像ファイルを対象にしてその対象画像ファイルのうち該撮影月の各撮影日毎の代表画像ファイルの縮小画像を読み出し、
前記表示手段は、前記読み出し手段によって読み出された複数の縮小画像を前記月間カレンダーの撮影日に該当する日付領域に組み込んで配列表示し、
前記第１の受け付け手段は、前記表示手段に表示された複数の縮小画像の各々又は日付領域の各々に対するユーザ選択を受け付ける
ことを特徴とする請求項１又は２記載の電子カメラ。
【請求項４】
前記表示手段は、前記読み出し手段によって読み出された複数の縮小画像を前記月間カレンダーの撮影日に該当する日付領域に組み込んで表示するとともに、縮小画像を組み込んだ各々の日付領域に印刷枚数設定の有無を示す印刷設定情報オブジェクトを表示することを特徴とする請求項３記載の電子カメラ。
【請求項５】
前記表示手段は、更に、前記月間カレンダー全体又は曜日毎若しくは週毎に共通する印刷設定情報オブジェクトを表示することを特徴とする請求項４記載の電子カメラ。
【請求項６】
更に、月間カレンダー全体又は曜日毎若しくは週毎に共通する第２の受け付け手段を備えたことを特徴とする請求項３から５いずれか１項に記載の電子カメラ。
【請求項７】
過去の印刷設定を示す履歴情報を保存する保存手段を更に備え、
前記読み出し手段は、前記記憶手段から複数の画像ファイルの各々の縮小画像を読み出すとともに前記保持手段から各々の縮小画像に対応する画像ファイルの前記履歴情報を読み出し、
前記表示手段は、前記読み出し手段によって読み出された複数の縮小画像と前記履歴情報とを配列表示する
ことを特徴とする請求項１から６いずれか１項に記載の電子カメラ。
【請求項８】
前記第１の受け付け手段は、前記表示手段に表示された複数の縮小画像の各々に対するユーザ選択を受け付けた際に、隣接する縮小画像への移動指示も同時に受け付けることを特徴とする請求項１から７いずれか１項に記載の電子カメラ。
【請求項９】
縮小画像付の画像ファイルを記憶する記憶部と、表示部とを備える電子カメラのコンピュータを、
前記記憶部から複数の画像ファイルの各々の縮小画像を読み出す読み出し手段、
前記読み出し手段によって読み出された複数の縮小画像を前記表示部に配列表示する表示制御手段、
前記表示制御手段によって表示された複数の縮小画像の各々に対するユーザ選択を受け付ける受け付け手段、
前記ユーザ選択の対象となった一乃至複数の縮小画像に対応する画像ファイルの印刷枚数を設定する設定手段、
として機能させるためのプログラム。
【手続補正２】
【補正対象書類名】明細書
【補正対象項目名】発明の名称
【補正方法】変更
【補正の内容】
【発明の名称】電子カメラ、及びプログラム
【手続補正３】
【補正対象書類名】明細書
【補正対象項目名】０００１
【補正方法】変更
【補正の内容】
【０００１】
本発明は、デジタルカメラやカメラ付携帯電話機等の電子カメラ、及びプログラムに関し、詳しくは、カメラ本体で印刷の指定を行うことができる電子カメラ、及びプログラムに関する。
【手続補正４】
【補正対象書類名】明細書
【補正対象項目名】０００９
【補正方法】変更
【補正の内容】
【０００９】
請求項１記載の発明は、縮小画像付の画像ファイルを記憶する記憶手段と、前記記憶手段から複数の画像ファイルの各々の縮小画像を読み出す読み出し手段と、前記読み出し手段によって読み出された複数の縮小画像を配列表示する表示手段と、前記表示手段に表示された複数の縮小画像の各々に対するユーザ選択を受け付ける受け付け手段と、前記ユーザ選択の対象となった一乃至複数の縮小画像に対応する画像ファイルの印刷枚数を設定する設定手段とを備えたことを特徴とする電子カメラである。
請求項２記載の発明は、前記表示手段は、前記読み出し手段によって読み出された複数の縮小画像を配列表示するとともに、縮小画像毎の印刷枚数設定の有無を示す印刷設定情報オブジェクトを表示することを特徴とする請求項１記載の電子カメラである。
請求項３記載の発明は、任意年月の月間カレンダーを生成するカレンダー生成手段を更に備え、前記読み出し手段は、前記記憶手段に記憶されている画像ファイルの中から前記任意年月を撮影月とするすべての画像ファイルを対象にしてその対象画像ファイルのうち該撮影月の各撮影日毎の代表画像ファイルの縮小画像を読み出し、前記表示手段は、前記読み出し手段によって読み出された複数の縮小画像を前記月間カレンダーの撮影日に該当する日付領域に組み込んで配列表示し、前記第１の受け付け手段は、前記表示手段に表示された複数の縮小画像の各々又は日付領域の各々に対するユーザ選択を受け付けることを特徴とする請求項１又は２記載の電子カメラである。
請求項４記載の発明は、前記表示手段は、前記読み出し手段によって読み出された複数の縮小画像を前記月間カレンダーの撮影日に該当する日付領域に組み込んで表示するとともに、縮小画像を組み込んだ各々の日付領域に印刷枚数設定の有無を示す印刷設定情報オブジェクトを表示することを特徴とする請求項３記載の電子カメラである。
請求項５記載の発明は、前記表示手段は、更に、前記月間カレンダー全体又は曜日毎若しくは週毎に共通する印刷設定情報オブジェクトを表示することを特徴とする請求項４記載の電子カメラである。
請求項６記載の発明は、更に、月間カレンダー全体又は曜日毎若しくは週毎に共通する第２の受け付け手段を備えたことを特徴とする請求項３から５いずれか１項に記載の電子カメラである。
請求項７記載の発明は、過去の印刷設定を示す履歴情報を保存する保存手段を更に備え、
前記読み出し手段は、前記記憶手段から複数の画像ファイルの各々の縮小画像を読み出すとともに前記保持手段から各々の縮小画像に対応する画像ファイルの前記履歴情報を読み出し、前記表示手段は、前記読み出し手段によって読み出された複数の縮小画像と前記履歴情報とを配列表示することを特徴とする請求項１から６いずれか１項に記載の電子カメラである。
請求項８記載の発明は、前記第１の受け付け手段は、前記表示手段に表示された複数の縮小画像の各々に対するユーザ選択を受け付けた際に、隣接する縮小画像への移動指示も同時に受け付けることを特徴とする請求項１から７いずれか１項に記載の電子カメラである。
請求項９記載の発明は、縮小画像付の画像ファイルを記憶する記憶部と、表示部とを備える電子カメラのコンピュータを、前記記憶部から複数の画像ファイルの各々の縮小画像を読み出す読み出し手段、前記読み出し手段によって読み出された複数の縮小画像を前記表示部に配列表示する表示制御手段、前記表示制御手段によって表示された複数の縮小画像の各々に対するユーザ選択を受け付ける受け付け手段、前記ユーザ選択の対象となった一乃至複数の縮小画像に対応する画像ファイルの印刷枚数を設定する設定手段、として機能させるためのプログラムである。
【手続補正５】
【補正対象書類名】明細書
【補正対象項目名】００１０
【補正方法】変更
【補正の内容】
【００１０】
本発明によれば、簡単な操作で印刷設定を行うことができ、特に大量画像の印刷設定を行う場合の手間の軽減と時間の短縮を図ることができる。